(57)【要約】【課題】鋳物門扉において、ボルトカバーの取付を容易にし、経年劣化の影響を避け、門扉が所定閉鎖位置を越えて回動されてボルトカバーが門柱に強打されることがあってもボルトカバーの脱落を防止する。【解決手段】門扉用ヒンジ装置の壺金物を構成する第１金物と第２金物を結合する上下のボルトにより固定片を第２金物に挟持固定し、前記ボルトの頭と前記固定片を収容して隠蔽するボルトカバーを、その側面から側方に突出する係止部を第２金物に形成してある係止縁に係合するとともに、被覆部に前記固定片とボルト頭を収容被覆した状態で、前記被覆部の前記係止部と反対側の側壁に形成されているビス貫通孔から前記固定片のビス受け部にビスをねじ込んで固定するようにした。【選択図】      図１
2006193973.tif 000002
【特許請求の範囲】
【請求項１】
側面にビス受け部を有する固定片を、門扉用ヒンジ装置の壺金物を構成する第１金物と第２金物を結合する上下のボルトにより前記第２金物に挟持固定し、前記上下のボルトの頭と前記固定片を収容して隠蔽する被覆部と、その被覆部の側壁から側方に突出する係止部と、前記被覆部の前記係止部と反対側の側壁に前記固定片のビス受け部のねじ孔と合致するように形成されたビス貫通孔とを有するボルトカバーを、前記係止部を前記壺金物の第２金物に形成してある係止縁に係合するとともに、前記被覆部に前記固定片とボルト頭を収容被覆した状態で、前記ボルトカバーのビス貫通孔から前記固定片のビス受け部にビスをねじ込んで固定することを特徴とする鋳物門扉。
【請求項２】
固定片は金属製であり、ボルトカバーは硬質合成樹脂製であることを特徴とする請求項１に記載の鋳物門扉。
【発明の詳細な説明】
【技術分野】
【０００１】
本発明は、鋳物門扉、特に門扉用ヒンジ装置の壺金物を門扉に締め付け固定するボルトの頭を隠蔽するボルトカバーを備えたものに関する。
【背景技術】
【０００２】
門扉を門柱に回動自在に吊るには、門柱側に取り付けられる肘金物と、門扉側に取り付けられる壺金物とからなる門扉用ヒンジ装置が用いられ、図５に例示するように、門扉１が鋳物製である場合は、壺金物２は、鋳物門扉（以下、単に門扉という。）１の吊り元側を挟持する第１金物２１と第２金物２２の二つの金物から構成されており、その一方から他方に上下のボルト３をねじ込んで二つの金物２１，２２を結合すると同時に、門扉１を挟持するようになっている。
【０００３】
さらに詳しくは、第１金物２１は、肘金物（図示せず）に上向きに突設されたピンを挿通する軸受２１１と、その軸受に連続するように形成され、ボルト３をねじ込むねじ孔を形成されたボルト受け部２１２と、そのボルト受け部から直角方向に延び、先端近傍に門扉１の吊り元側の表裏両面に形成してある溝１１の内の一方に嵌合される凸条２１３１を備えた挟持部２１３とを有する。また、第２金物２２は、第１金物２１のボルト受け部２１２のねじ孔に対応する貫通孔２２１１を形成されたボルト挿通部２２１と、ボルト挿通部から第１金物２１の挟持部２１３と平行に延び、先端近傍に門扉１の前記溝１１の内の他方に嵌合される凸条２２２１を備えた挟持部２２２とを有する。そして、両金物の挟持部２１３，２２２をそれぞれ門扉の吊り元側の所定高さにおいて両側に配置するとともに、それぞれの凸条２１３１，２２２１を門扉１の両側の溝１１に嵌合するとともに、両金物のボルト挿通部２１２とボルト受け部２２１とを突き合わせて、第２金物２２のボルト挿通部２２１の貫通孔２２１１からボルト３を第１金物２１のボルト受け部２１２のねじ孔にねじ込んで、両金物を結合し、かつ門扉１を挟持している。図５には、紙面の都合上、門扉の上部に取り付けられる壺金物２のみが示されているが、門扉の下部にも同様の構成の壺金物が取り付けられる。
【０００４】
壺金物２を上記のように取り付けられた状態のまま放置すると、ボルト３の頭３１が壺金物の外面に露出されて防犯上好ましくないので、従来、第２金物２２の表面にボルト頭を隠蔽するためのボルトカバー４を取り付けていた。
【０００５】
従来のボルトカバー４は、全体が硬質合成樹脂で図５に示されている形状及び構造に成形されたものである。すなわち、上下のボルト３の軸の間に嵌合され、かつ、締め付けられるボルトの頭３１と第２金物２２のボルト挿通部２２１の間に挟持して固定される固定部４１と、この固定部から側方に延出された連結部４２と、その連結部の先端に薄肉により形成されたヒンジ部４３を介して結合されたカバー本体４４とを一体に有する。
【０００６】
そして、ボルト３を貫通孔２２１１からボルト受け部２２に締め付け、その終了直前に、ボルトカバー４の固定部４１を第２金物２２に形成してある凸条２２３，２２４の間に嵌合し、かつ、固定部の上下両端部を上下のボルト３の軸部に当接した状態で、ボルト３を完全に締め付けて、その固定部をボルトの頭と第２金物との間に挟持固定した後、カバー本体４４をヒンジ部４３を中心として、ボルト頭が隠蔽されるように、図５の矢印方向に回転し、カバー本体４４の中にボルトの頭を収容して隠蔽するとともに、カバー本体の先端に形成してある係止片４５を第２金物２２の挟持部２２２に形成してある断面Ｌ字形の係止縁２２５に差し込んで固定するように構成されている。
【特許文献１】特になし。
【発明の開示】
【発明が解決しようとする課題】
【０００７】
しかしながら、上記従来のボルトカバー４は、硬質合成樹脂で成形され、固定部４１をボルトで固定した後、ヒンジ部４３を強引に折り曲げてカバー本体４４を回動し、さらにカバー本体の側面を押して先端の係止片４５を係止縁２２５に係合させるため、取付けが容易でなく、薄肉で形成されているヒンジ部４３の機械的強度がカバー本体の回動時に劣化する。また、その薄肉のヒンジ部４３は、折り曲げによる残留応力により、早い時期に経年劣化を起こし、何らかの衝撃を受けた際に破断され易い。例えば、一枚扉型の門扉の場合は、戸当たり部材に不具合があるために門扉閉鎖時に門扉が所定の閉鎖位置を越えて回動されたとき、また、両開き扉型の門扉の場合は、一方の扉が開放状態にある際に他の門扉を閉めたためにその門扉が所定の閉鎖位置を越えて回動されたときは、いずれのときも、ボルトカバー４が門柱に強打されるので、経年劣化したヒンジ部４３が破断され、その結果、カバー本体４４が連結部４２から切り離されて脱落するおそれがあった。
【０００８】
本発明は、上記の点に鑑みてなされたものであり、解決しようとする課題は、ボルトカバーの取付が容易であるばかりでなく、経年劣化の影響を避けることができ、しかも、門扉が所定の閉鎖位置を越えて回動されたためにボルトカバーが門柱に強打されることがあっても、ボルトカバーの脱落が防止されるようにすることにある。
【課題を解決するための手段】
【０００９】
上記課題を解決するため、本発明は、ボルトカバーを上記既存のボルトカバーの係止部を備えたカバー本体のみの形状とほぼ等しいものとするとともに、上記既存のボルトカバーの固定部に相当するものをカバー本体から分離独立した固定片を形成したこと、その固定片は壺金物を構成する第１金物と第２金物を結合する上下のボルトにより第２金物に挟持固定され、かつ、側面にビス受け部を一体に有すること、及び、前記ボルトカバーは、前記上下のボルトの頭と前記固定片を収容して隠蔽するカップ状の被覆部と、その被覆部の側面から側方に突出し、壺金物の第２金物に形成してある係止縁に係合して係止される係止部とを一体に有し、前記被覆部の前記係止部と反対側の側壁に、前記被覆部にボルトの頭と固定された固定片とを収容し隠蔽した状態で前記固定片のビス受け部のねじ孔と合致するビス貫通孔が形成されていることを特徴としている。
【００１０】
上記構成により、固定片は、上下のボルトで壺金物の第１金物と第２金物を結合する際に、ボルトの頭と第２金物との間に挟持固定される。ボルトカバーは、その係止部を第２金物の係止縁に係合するとともに、被覆部の中にボルトの頭と固定片を収容して隠蔽し、そのボルトカバーの側壁に設けてあるビス貫通孔にビスを貫通して固定片のビス受け部のねじ孔にねじ込むことにより固定される。従って、ボルトカバーには薄肉のヒンジ部は形成されず、また、取付過程において折り曲げられることもない。
【００１１】
固定片は所要の剛性を有する金属製であることが望ましく、ボルトカバーは、量産が容易な硬質合成樹脂製であることが好ましい。
【発明の効果】
【００１２】
請求項１の発明によれば、固定片とボルトカバーに分割して構成したので、壺金具に対する取付が容易になった。また、固定片を金属製とし、カバー本体を合成樹脂製とすることができる。カバー本体は取付時に折り曲げられることがないので、機械的強度の低下や曲げ応力による経年劣化の促進がなく、耐久性が向上する。従って、材料の経年劣化によるボルトカバーの脱落が防止される。
【００１３】
請求項２の発明によれば、固定片が金属製であるから、ボルトカバーの取付状態が堅固になる。また、門扉が所定閉鎖位置を越えて開けられたためにボルトカバーが門柱に強打されることがあっても、その反力がビスを介して強固な固定片に受けられるので、ボルトカバーの機械的強度が補強され、破断を防止される。
【発明を実施するための最良の形態】
【００１４】
続いて、本発明の実施の形態について、図面に基づいて説明する。
図１は本発明の構成を示す要部の斜視図、図２はボルトカバーの取付要領を示す要部の平面図、図３は同じく取付後の状態を示す要部の断面図、図４は本発明に係るボルトカバーを取り付けたヒンジ装置を用いて門扉が門柱に支持されている状態を示す要部平面図である。図５に示された部材と同一の部材には同一の符号を用いる。
【００１５】
図１（ａ）の５は、所要の強度と剛性を備えるために鉄などの金属板の曲げ加工により形成された固定片であり、上下方向に延びる板状の被挟持部５１を有し、その中間に所要の強度を備えるためにコ字形に屈曲して形成された凸部５２を有し、その凸部の側面にねじ孔５４が設けられたねじ受け部５３が形成されている。被挟持部５１は、その先端が第１金物２１と第２金物２２を結合するためにねじ込まれる上下のボルト３の軸に当接され又は近接されて、そのボルトが締め付けられた場合にボルト頭と第２金物２２との間に挟み込まれて固定される長さを有している。また、好ましくは、ボルトを締め付ける間にボルトの軸と第２金物２２の凸条２２３，２２４の一方又は双方の間に安定して保持されるように、かつ、ボルトによる挟持面積を大きくするために、被挟持部５１の先端の少なくとも片側に湾曲されている。
【００１６】
固定片５は、両金物２１，２２を結合するためボルト３を第２金物２２の貫通孔２２１１から第１金物２１のねじ孔に一部ねじ込んだ状態のときに、その両ボルトの間に挿入し、被挟持部５１をボルト３の軸と凸条２２３，２２４の一方又は双方とで保持する。その場合、被挟持部５１の先端はボルト３の頭と第２金物２２との間に、ワッシャ３ｂが用いられる場合は、そのワッシャと第２金物との間に介在される。そして、ボルト３を完全に締め付けることにより固定片５が、図１（ｂ）に示すように、壺金物２に固定される。
【００１７】
同図における４Ｅは、本発明において用いられるボルトカバーであり、製造コストの低減のために合成樹脂成形品である。そして、従来のボルトカバーのカバー本体とほぼ同様の形状に形成され、ボルト３の頭とそのボルト３により固定された固定片５を収容できる収容部４１と、その収容部を形成する一方の側壁の端部から他方の側壁と反対方向に突出する係止部４５を有し、前記他方の側壁には、固定片５のねじ受け部５３のねじ孔５４と合致しうる孔４６が形成されている。
【００１８】
ボルトカバー４Ｅは、カバー本体４４の収容部に固定片５及び上下のボルト頭を収容するとともに、係止部４５を第２金物２２の係止縁２２５に係合した後、凸条２２３，２２４に当接した状態で、カバー本体４４の孔４６からビス６を固定片５のねじ受け部５３のねじ孔５４にねじ込むことにより、壺金物２に固定される。
なお、ビス７は、壺金物２を門扉１に取り付けた後、第１金物２１のボルト受け部２１２の側面に設けてあるねじ孔２１４から門扉１の側面に向けてねじ込まれて、壺金物２の門扉の溝１１の幅方向のずれを防止するためのものである。
【００１９】
図４は、上記のようにして壺金物２が取り付けられ、かつ、ボルトの頭を隠蔽するためのボルトカバー４Ｅが取り付けられ門扉１が、門柱８に固定金具９を介して取り付けられた肘金物１０のピン１０１により、そのピンを中心として回動自在に吊られ、閉鎖位置に保持されている状態を示す。この図示の門扉１は、ピン１０１を中心として時計方向に回動されて門を開放し、逆に、反時計方向に図示の位置まで回動されて門を閉鎖する。しかし、一枚扉型の門扉において、左側の図外の門柱に取り付けられている戸当たり部材に不具合があるために、門扉１が図４に示されている所定の閉鎖位置を越えて回動される場合があり得る。また、両開き扉型の門扉において、左側の門扉が開放位置に存在するまま、あるいは、閉鎖位置にあっても落とし錠が施錠されていない状態で、不注意で門扉１が閉鎖されたために、同様に、門扉１が図４に示されている所定の閉鎖位置を越えて回動される場合があり得る。このように所定の閉鎖位置を越えて回動された時は、ボルトカバー  ４Ｅが門柱８の側面に強打されることがある。本発明によるボルトカバー４は、ビス６により金属製の強固な固定片５に固定され、その固定片もより強固な壺金物２に固定されているから、門柱から受ける強い力がその固定片５及び壺金物２に受け止められる。従って、ボルトカバーが容易に破損されたり、壺金物２から脱落したりすることが確実に防止される。
【００２０】
カバー本体の互いに反対側に設けられた係止部４５と、収容部の側壁の一方を第２金物の係止縁２２５に係止し、他方を凸条２２３に係合させれば、ビス６のねじ込み時の安定性が向上し、ボルトカバーの取付が一層容易になるとともに、ボルトカバーの取付状態が一層堅固になり、門柱への強打に対する耐破壊力がさらに増強される。
【図面の簡単な説明】
【００２１】
【図１】本発明の構成を示す要部の斜視図。
【図２】カバー本体の取付要領を示す要部の平面図。
【図３】同じく取付後の状態を示す要部の断面図。
【図４】本発明に係るボルトカバーを取り付けたヒンジ装置を用いて門扉が門柱に支持されている状態を示す要部平面図。
【図５】従来のボルトカバーの構成及び取付構造を示す斜視図。
【符号の説明】
【００２２】
１      門扉
１１    ヒンジ取付用溝
２      門扉用ヒンジ装置の壺金物
２１    第１金物
２１１  軸受
２１２  ボルト受け部
２１３  挟持部
２２    第２金物
２２１  ボルト挿通部
２２２  挟持部
３      ボルト
３１    頭
４    ボルトカバー
４Ｅ  ボルトカバー
４４    収容部
４５    係止部
５    固定片
５１  被挟持部
５２  凸部
５３  ねじ受け部
５４  ねじ孔
【図１】
2006193973.tif 000003
【図２】
2006193973.tif 000004
【図３】
2006193973.tif 000005
【図４】
2006193973.tif 000006
【図５】
2006193973.tif 000007